(57)【特許請求の範囲】
【請求項１】
像担持体と、
発光素子、前記発光素子からの光ビームを受けるポリゴンミラー、前記ポリゴンミラーを回転駆動させるポリゴンモータ、及び、ポリゴン駆動クロックに基づいて前記ポリゴンモータを駆動させるモータ駆動部を備え、画像データに基づいて、前記ポリゴンミラーを介した光ビームにより前記像担持体を走査露光する露光部と、
前記露光部により前記像担持体上に形成された静電潜像をトナーで現像する現像部と、
前記現像部により現像された前記像担持体上のトナー像を記録紙に転写する転写部と、
前記画像データを画像処理することにより、画像倍率を調整する画像処理部と、
記録紙に対する画像倍率を調整するにあたり、画像の出力形態に応じて、前記モータ駆動部により前記ポリゴンミラーの回転数を変更する第１の倍率調整と、前記画像処理部により前記画像データを画像処理する第２の倍率調整のいずれか一方を選択するよう制御する制御部と、
を備え、
前記制御部は、
前記出力形態として画質の優先が選択された場合には、前記第１の倍率調整によって画像倍率を調整し、
前記出力形態として生産性の優先が選択された場合には、前記第２の倍率調整によって画像倍率を調整する、
ことを特徴とする画像形成装置。
【請求項２】
前記制御部は、記録紙の一方の面と他方の面に形成される画像の調整のために画像倍率を調整するにあたり、前記第１の倍率調整と前記第２の倍率調整のいずれか一方を選択するように制御する、
ことを特徴とする請求項１に記載の画像形成装置。
【請求項３】
前記画像倍率の調整は、一方の面を画像形成後の記録紙の収縮率に基づいて行う、
ことを特徴とする請求項２に記載の画像形成装置。
【発明の詳細な説明】
【技術分野】
【０００１】
本発明は、複写機やプリンタなどの画像形成装置に関し、特に、光源からのレーザビームをポリゴンミラーで走査して感光体などの記録媒体に書き込む機能を有する画像形成装置に関する。
【背景技術】
【０００２】
レーザプリンタ、複写機、ファクシミリ装置などの電子写真方式の各種の画像形成装置において、その画像形成動作は、帯電、露光、現像、転写、定着という各プロセスを経て行われる。
【０００３】
具体的には、まず、画像データに基づいて変調された光ビーム（レーザビーム）の照射により、帯電された感光体ドラムの表面に、画像形成する画像の静電潜像が形成され、この静電潜像は、現像装置によってトナー像として現像される。このトナー像は、転写ローラによって転写材（記録紙）に転写され、定着装置において、定着熱により、記録紙上のトナー像が定着されることで、記録紙に画像が形成される。
【０００４】
記録紙にトナー像を定着する際、定着熱によって記録紙の水分が吸い取られ、記録紙が収縮するという現象が起こる。特に、両面画像形成を行う場合、第一面（表面）定着時の記録紙収縮により、記録紙の第一面（表面）と第二面（裏面）の画像サイズが異なり、表面と裏面の見当（表裏レジスト）がずれてしまうという不具合が生じる。
【０００５】
このような場合に、画素クロックの周期を変えると共に、ポリゴンミラーの回転数を変更することで、たとえば、裏面側の画像倍率を微調整して表裏の画像サイズを一致させることが可能である。このポリゴンミラー回転数変更による画像倍率調整は、画質の劣化が生じないという利点を有しているが、回転数変更に一定の時間を必要とする問題がある。
【０００６】
なお、以上のような記録紙の熱収縮以外にも、操作者によって画像のわずかな拡大縮小の指示がなされることがあり、このような場合にも、ポリゴンミラーの回転数変更あるいは画像処理のいずれかによって対処することが可能である。
【０００７】
このようにポリゴンミラーの回転数制御に言及されたものとして、たとえば、以下の特許文献１，２が存在している。
【先行技術文献】
【特許文献】
【０００８】
【特許文献１】特開２００６−２２４６５４号公報
【特許文献２】特開２００６−２５８９４６号公報
【発明の概要】
【発明が解決しようとする課題】
【０００９】
ところで、ポリゴンミラーはＰＬＬ（Phase Locked Loop）制御によって駆動され、毎分数万回転の高速回転をしている。さらに、以上のような画像倍率の微調整に応じて回転数変更をする場合、ＰＬＬ制御とポリゴンミラーの回転との両方が安定した状態に達するまでに一定の時間（安定時間）が必要となる。
【００１０】
一方、近年の画像形成装置は高速処理が要求されており、画像形成装置内での通紙間隔が狭くなるにともない、記録紙表面への画像形成から記録紙裏面への画像形成へと切り替わる非露光期間も短くなっている。
【００１１】
従って、ポリゴンミラー回転数変更により画像倍率調整を行う場合、ポリゴンミラー回転数変更による安定時間が上記非露光期間を超えるのであれば、両面画像形成の際の循環枚数（一度に画像形成装置内で循環している記録紙枚数）を減らすことで、上記非露光期間を広げる必要がある。
【００１２】
この場合、たとえば、循環枚数が４枚であったものを３枚に減らして非露光期間を広げた場合には、画像形成装置の生産性が３／４に低下することになる。
【００１３】
以上の特許文献１，２記載の技術は、ＰＬＬ駆動されるポリゴンミラーの制御の中で無駄を省いて最適化することで、上述した安定時間を短縮する試みがなされている。
【００１４】
しかしながら、画像形成装置の生産性の要求に伴って非露光期間は増々短くなってきているとともに、上述したポリゴンミラーの安定時間の短縮にも限界があるため、生産性によってはポリゴンミラーの安定時間が非露光期間を超えることもあり、ポリゴンミラーの安定時間が生産性向上の妨げとなっていた。
【００１５】
一方、ポリゴンミラーの回転数を変更させず、画像データを画像処理することによって画像倍率調整を行うことも可能ではあるが、この方法では画質の劣化が問題となる場合があった。
【００１６】
すなわち、画像倍率調整において、生産性向上（生産性低下防止）と画質維持（画質劣化防止）とを、最適にする手法が確立されていなかった。
【００１７】
本発明は、光ビームをポリゴンミラーにより走査して画像を形成する装置における画像倍率調整において、生産性と画質とを最適にすることが可能な画像形成装置を提供することを目的とする。
【課題を解決するための手段】
【００１８】
本発明は、像担持体と、発光素子、前記発光素子からの光ビームを受けるポリゴンミラー、前記ポリゴンミラーを回転駆動させるポリゴンモータ、及び、ポリゴン駆動クロックに基づいて前記ポリゴンモータを駆動させるモータ駆動部を備え、画像データに基づいて、前記ポリゴンミラーを介した光ビームにより前記像担持体を走査露光する露光部と、前記露光部により前記像担持体上に形成された静電潜像をトナーで現像する現像部と、前記現像部により現像された前記像担持体上のトナー像を記録紙に転写する転写部と、前記画像データを画像処理することにより、画像倍率を調整する画像処理部と、記録紙に対する画像倍率を調整するにあたり、画像の出力形態に応じて、前記モータ駆動部により前記ポリゴンミラーの回転数を変更する第１の倍率調整と、前記画像処理部により前記画像データを画像処理する第２の倍率調整のいずれか一方を選択するよう制御する制御部と、を備え、前記制御部は、前記出力形態として画質の優先が選択された場合には、前記第１の倍率調整によって画像倍率を調整し、前記出力形態として生産性の優先が選択された場合には、前記第２の倍率調整によって画像倍率を調整する、ことを特徴とする。
【発明の効果】
【００１９】
本発明では、画像倍率を調整する場合に、画像の出力形態に応じて、ポリゴン駆動クロックの変更によるポリゴンミラーの回転数変更と、画像処理部での画像処理のいずれか一方を選択するよう制御している。これにより、光ビームをポリゴンミラーにより走査して画像を形成する装置における画像倍率調整において、画像の出力形態を参照して生産性と画質とを最適にすることが可能になる。
【図面の簡単な説明】
【００２０】
【図１】本発明の実施形態の概略構成を示す構成図である。
【図２】本発明の実施形態の概略構成を示す構成図である。
【図３】本発明の実施形態の動作を示すフローチャートである。
【図４】本発明の実施形態の動作を示す特性図である。
【図５】本発明の実施形態の動作を示すフローチャートである。
【発明を実施するための形態】
【００２１】
以下、図面を参照して本発明の画像形成装置を実施するための形態を詳細に説明する。
【００２２】
〔画像形成装置の構成〕
ここで、第一実施形態の画像形成装置１００の構成を、図１（ブロック図）と図２（断面構成図）に基づいて詳細に説明する。
【００２３】
なお、画像形成装置として既知であって、本実施形態の特徴的な動作や制御に直接に関係しない一般的な部分についての説明は省略してある。また、この実施形態においては、像担持体を移動させ、あるいは、記録紙を搬送する方向を副走査方向と呼ぶ。そして、この副走査方向に直交する方向を主走査方向と呼ぶ。記録紙を副走査方向に搬送しつつ、像担持体を副走査方向に移動させつつ、該像担持体上への主走査方向の露光によって、二次元の画像を形成し、この像担持体上の画像を記録紙に転写することで、記録紙上に所望の画像を形成する。
【００２４】
画像形成装置１００において、制御部１０１は画像形成装置１００の各部を制御するためにＣＰＵなどで構成され、制御プログラムに従って動作している。なお、この制御部１０１は、後述するフローチャートに従った制御を行うことを特徴としている。
【００２５】
操作部１０３は画像形成装置の操作者が各種操作入力を行うもので、各種スイッチやキーなどが設けられている。
【００２６】
記憶部１０５は各種データを記憶する記憶手段であり、この実施形態では、画像形成装置１００の動作に必要な制御プログラムや、画像条件を制御する際に用いられる各種データなどを有する。
【００２７】
画素クロック生成部１１０は画像データについての画像処理や露光の際に用いられる画素クロックを生成するクロック生成手段である。なお、後述するポリゴン駆動クロック生成部１５０で生成されるポリゴン駆動クロックによるポリゴンミラー１７２３の回転数変更を用いて画像倍率調整を実行する際には、画素クロック生成部１１０による画素クロックの周期変更も合わせて実行される。
【００２８】
画像処理部１２０は画像形成すべき画像データに画像処理を施す処理手段であり、この実施形態では、拡大や縮小といった画像倍率調整の画像処理を行う処理手段である。
【００２９】
画像メモリ１３０は画像データを記憶する記憶手段であり、以上の画像処理部１２０の画像倍率調整の際にはワークメモリとして使用される。
【００３０】
発光駆動部１４０は、画像処理された画像データに応じて露光駆動信号を生成する駆動手段である。
【００３１】
ポリゴン駆動クロック生成部１５０はＰＬＬ(Phase Locked Loop)制御などによって後述するポリゴンミラー１７２３の回転駆動に必要なポリゴン駆動クロックを生成するクロック生成手段である。
【００３２】
プロセスユニット１７０は記録紙に画像（トナー像）を形成する各種動作を実行する書き込みユニットであり、露光部１７２や感光体１７３を備えて構成されている。
【００３３】
ここで、露光部１７２は、発光駆動部１４０からの露光駆動信号を受けて発光するレーザダイオードなどの発光素子１７２０と、ポリゴン駆動クロックに基づいてポリゴンモータ１７２２を駆動するモータ駆動部１７２１と、モータ駆動部１７２１により駆動されてポリゴンミラー１７２３を所定の回転数で回転させるポリゴンモータ１７２２と、ポリゴンモータ１７２２により回転駆動されて発光素子１７２０からの光ビームを感光体１７３の表面で走査するポリゴンミラー１７２３と、を備えている。
【００３４】
また、光ビームの露光により形成される静電潜像が現像されてトナー像として形成される感光体１７３は、モータ駆動部１７３１により駆動される感光体モータ１７３２によって所定速度で回転する。
【００３５】
プロセスユニット１７０のその他の構成については、図２で詳細に説明する。なお、図１では省略しているが、画像形成装置１００は複数色による画像形成を実行できるため、色毎にプロセスユニット等が配置されている。
【００３６】
次に、図２を参照して画像形成装置１００の機械的構成について説明する。
【００３７】
搬送部１６０は、給紙部Ｔから送り出された記録紙を所定の搬送速度で搬送する搬送手段であり、レジストローラやその他各種の搬送ローラ、搬送ベルトなどを備えて構成されている。なお、この搬送部１６０は、記録紙の両面に画像形成する際に、記録紙を反転させてから循環させる反転搬送部１６５を備えている。
【００３８】
プロセスユニット１７０は、記録紙に画像を形成する各種動作を実行する書き込みユニットであり、感光体１７３に所定の帯電をさせる帯電部１７１、感光体１７３を画像データに応じて露光する露光部１７２、露光により静電潜像が形成される像担持体としての感光体１７３、感光体１７３の静電潜像を現像してトナー像にする現像部１７４、感光体１７３上のトナー像が転写されてトナー像を担持する像担持体としての中間転写体１７５、中間転写体１７５上のトナー像を記録紙に転写する転写部１７６、を備えている。
【００３９】
なお、プロセスユニット１７０において、帯電部１７１、露光部１７２、感光体１７３、現像部１７４が各色に対応して設けられており、中間転写体１７５上で各色のトナー像が重ね合わされて、最終的に記録紙に転写される構成になっている。
【００４０】
なお、感光体１７３はドラム形状ではなく、ベルト状であってもよい。同様に、中間転写体１７５はベルト状ではなく、ドラム状であってもよい。
【００４１】
定着部１８０は、トナー像が転写された記録紙を挟持搬送しつつ、加熱と加圧とにより定着を実行してトナー像を記録紙上で安定した状態にする。
【００４２】
〔画像形成装置の動作（１）〕
以下、図３のフローチャート、図４の特性図を参照して画像形成装置１００についての動作説明を行う。
【００４３】
ここで、画像形成装置１００は制御部１０１の制御プログラムに従って動作しており、この制御プログラムの基本となる動作を図３のフローチャートに示す。
【００４４】
まず、画像形成すべきデータを外部の機器から入力するか、あるいは画像形成装置１００内の画像メモリ１３０などに保管されているデータの中から選択する（図３中のステップＳ１０１）。
【００４５】
そして、これと並行して操作者が、操作部１０３から画像形成に関連した各種設定を行う（図３中のステップＳ１０２）。この各種設定として、操作者により画像の出力形態についても設定がなされる。ここで、出力形態とは、画質優先と生産性優先との優先度の違い、モノクロ（単一色）画像とカラー（複数色）画像の違い、または、文字とイメージの違い、両面画像形成の有無、などである。すなわち、出力形態とは、画質を優先するか画質よりも生産性を優先するかを示す優先度、単一色による画像形成か複数色による画像形成かを示す画像形成モード、または、画像データに文字が含まれるかイメージが含まれるかを示す画像データの種類、両面画像形成か片面画像形成かの画像形成面、などである。
【００４６】
ここで、制御部１０１は、画像倍率調整が必要であるか否かを判断する（図３中のステップＳ１０３）。例えば、両面画像形成モードが設定されている場合や、操作者によって操作部を介して画像倍率調整の手動入力がなされた場合は、制御部１０１は画像倍率調整の必要ありと判断する。
【００４７】
ここで、前述したように、記録紙にトナー像を定着する際、定着部１８０の熱によって記録紙の水分が吸い取られ、記録紙が収縮するという現象が起こる。特に、両面画像形成を行う場合、第一面（表面）定着時の記録紙収縮により、記録紙の第一面（表面）と第二面（裏面）の画像サイズが異なるという不具合が生じる。この記録紙の収縮率は、記録紙の種類、定着温度、搬送速度などによって異なるため、制御部１０１は、画像倍率調整の必要ありと判断した場合、記憶部１０５に格納されている調整量データを参照し、記録紙の種類や定着温度などに対応付けられた調整量を取得する。なお、操作者によって画像倍率調整の手動入力がなされたときは、操作部からの入力値を調整値として取得する。
【００４８】
倍率調整必要なしの場合には（図３中のステップＳ１０３でＮＯ）、制御部１０１は画像形成を実行する（図３中のステップＳ１１０）。
【００４９】
一方、倍率調整必要ありの場合には（図３中のステップＳ１０３でＹＥＳ）、制御部１０１は、画質優先、生産性優先、中間、のいずれが選択されているかを判断する（図３中のステップＳ１０４）。
【００５０】
ここで、優先度として画質優先が選択されている場合には（図３中のステップＳ１０３で画質優先）、制御部１０１の制御によって、ポリゴン駆動クロック生成部１５０で生成されるポリゴン駆動クロックによるポリゴンミラー１７２３の回転数変更を用いて画像倍率調整を実行しつつ（図３中のステップＳ１０７）、画像形成を実行する（図３中のステップＳ１１０）。この場合には、画像倍率調整に伴う画質の劣化が生じない特徴を有する。なお、この画質優先の場合には、図４（ａ）に示すように、倍率調整量に応じて、上述した安定時間に基づく処理時間が必要になるという性質を有している。そして、この安定時間が非露光期間を超える場合には、搬送部１６０における記録紙の循環枚数を減らして生産性を下げる必要が生じる。
【００５１】
また、優先度として生産性優先が選択されている場合には（図３中のステップＳ１０３で生産性優先）、制御部１０１の制御により、画像処理部１２０によって画像データを拡大あるいは縮小して画像倍率調整を実行して（図３中のステップＳ１０９）、画像形成を実行する（図３中のステップＳ１１０）。この場合には、図４（ｂ）のように、露光前に画像処理をするため処理時間は問題にならない利点を有する。なお、この生産性優先の場合には、画像処理によって画像データの補間や間引きが行われるため、倍率調整量によっては画質の劣化が生じる性質を有している。
【００５２】
さらに、優先度として中間が選択されている場合には（図３中のステップＳ１０３で中間）、以上の画質優先と生産性優先の中間的な状態の選択であり、制御部１０１は、モノクロ画像とカラー画像の違い（図３中のステップＳ１０５）、または、文字とイメージの違い（図３中のステップＳ１０６）、のいずれかに応じて、ポリゴンミラー１７２３の回転数変更と画像処理部１２０の画像処理との双方を用いるか、いずれか一方を用いるかを切り替えて、画質の劣化を最小限に抑えつつ生産性を向上させて画像倍率を調整する特徴を有している。
【００５３】
ここで、優先度として中間が選択されている場合において（図３中のステップＳ１０３で中間）、カラー画像であれば（図３中のステップＳ１０５でＹＥＳ）色ずれが目立ちやすいため、また、モノクロ画像（図３中のステップＳ１０５でＮＯ）であって文字であれば（図３中のステップＳ１０６でＹＥＳ）文字を構成する線の部分で画質劣化が目立ちやすいため、ポリゴンミラー１７２３の回転数変更と画像処理部１２０の画像処理の双方を用いることで（図３中のステップＳ１０８）、画質の劣化を最小限に抑えつつ生産性を向上させて画像倍率を調整しつつ、画像形成を実行する（図３中のステップＳ１１０）。
【００５４】
なお、以上のポリゴンミラー１７２３の回転数変更と画像処理部１２０の画像処理とを併用して画像倍率調整を実行する場合には、図４（ｃ）に示すように、画質の劣化が小さい範囲を予め定めて画像処理による画像倍率調整を実行し、さらに、それを超える倍率調整量についてポリゴンミラー１７２３の回転数変更による画像倍率調整を実行することを特徴としている。
【００５５】
なお、図４（ｃ）では、画像処理による調整量を横軸に示し、ポリゴンミラー１７２３の回転数変更による調整量を縦軸に示し、双方を用いた場合の調整量を斜め４５°の軸で示している。
【００５６】
この図４（ｃ）の場合には、たとえば、画質の劣化が小さい範囲として０．８％までの画像倍率調整を画像処理により行い、それを超える分をポリゴンミラー１７２３の回転数変更により対応する例を示している。この図４（ｃ）の場合には、＋１％の倍率調整を実行した場合であっても、図４（ａ）よりも処理時間が短くて済むことがわかる。
【００５７】
ここで、優先度として中間が選択されている場合において（図３中のステップＳ１０３で中間）、モノクロ画像（図３中のステップＳ１０５でＮＯ）であって、文字以外であれば（図３中のステップＳ１０６でＮＯ）、画質劣化が目立ちにくいため、制御部１０１は、画像処理部１２０の画像処理を用いて生産性を向上させて画像倍率を調整して（図３中のステップＳ１０９）、画像形成を実行する（図３中のステップＳ１１０）。
【００５８】
以上のように、この実施形態によれば、光ビームをポリゴンミラーにより走査して画像を形成する装置における画像倍率調整において、生産性と画質とを最適に選択あるいは制御することが可能になる。
【００５９】
〔画像形成装置の動作（２）〕
図５は本実施形態の画像形成装置における他の動作例を示している。ここで、図３と同一の処理には同一のステップ番号を付すことで、重複した説明を省略する。
【００６０】
ここで、優先度として中間が選択されている場合において（図５中のステップＳ１０４で中間）、カラー画像であり（図５中のステップＳ１０５でＹＥＳ）、文字であれば（図５中のステップＳ１０６ＢでＹＥＳ）、文字を構成する線の部分で画質劣化が更に目立ちやすいため、制御部１０１の制御によって、ポリゴン駆動クロック生成部１５０で生成されるポリゴン駆動クロックによるポリゴンミラー１７２３の回転数変更を用いて画像倍率調整を実行しつつ（図５中のステップＳ１０７）、画像形成を実行する（図５中のステップＳ１１０）。
【００６１】
また、優先度として中間が選択されている場合において（図５中のステップＳ１０４で中間）、文字以外のカラー画像であるか（図５中のステップＳ１０５でＹＥＳ、ステップＳ１０６ＢでＮＯ）、モノクロ文字画像であれば（図５中のステップＳ１０５でＮＯ、ステップＳ１０６ＡでＹＥＳ）、制御部１０１は、ポリゴンミラー１７２３の回転数変更と画像処理部１２０の画像処理の双方を用いることで（図５中のステップＳ１０８）、画質の劣化を最小限に抑えつつ生産性を向上させて画像倍率を調整しつつ、画像形成を実行する（図５中のステップＳ１１０）。
【００６２】
また、優先度として中間が選択されている場合において（図５中のステップＳ１０４で中間）、モノクロ画像（図５中のステップＳ１０５でＮＯ）であって、文字以外であれば（図５中のステップＳ１０６ＡでＮＯ）、画質劣化が目立ちにくいため、制御部１０１は、画像処理部１２０の画像処理を用いて生産性を向上させて画像倍率を調整して（図５中のステップＳ１０９）、画像形成を実行する（図５中のステップＳ１１０）。
【００６３】
この実施形態においても、光ビームをポリゴンミラーにより走査して画像を形成する装置における画像倍率調整において、生産性と画質とを最適に選択あるいは制御することが可能になる。
【００６４】
〔実施形態の効果の検証〕
以上の実施形態について、具体的な画像形成装置に適用して、効果を検証してみた。
【００６５】
検証に用いた画像形成装置において、記録紙搬送速度は３００mm／秒、記録紙間隔は６０mm、記録紙間隔における非露光時間は２００msecであり、ポリゴンミラー１７２３は定常画像形成時に３５，４４３回転／分で回転している。そして、ポリゴンミラー１７２３について１％の加速を行うように制御した場合、図４（ａ）右側縦軸に示すように安定時間は８２０msecであった。
【００６６】
ここで、優先度として画質優先が選択されている場合には、画像処理は用いられず、ポリゴンミラー１７２３の回転数変更を用いて画像倍率調整を実行され、安定時間が非露光期間を超えるため、両面画像形成の際の循環枚数（一度に画像形成装置内で循環している記録紙枚数）を減らすことで、以上の非露光期間を広げる。したがって、生産性が低下することになる。
【００６７】
一方、優先度として中間が選択され、カラー画像かモノクロ文字画像であれば、ポリゴンミラー１７２３の回転数変更と画像処理部１２０の画像処理の双方を用いて、画像倍率調整が実行される。たとえば、倍率調整量０．８％の画像処理までは画質劣化が小さいと予め定められた場合には、図４（ｃ）のように、０．８％の画像処理と０．２％のポリゴンミラー１７２３の回転数変更が実行されるため、処理時間は１６０msecとなる。よって、安定時間が非露光期間を超えることはないため、生産性を低下させることはない。また、画像処理は画質劣化が小さいと定められた倍率調整量までの使用であり、それを超える倍率調整量についてはポリゴンミラー１７２３の回転数変更が適用されるため、画質劣化は最低限に抑えられている。なお、ここで示した数値は一例であり、各種の変形が可能である。
【００６８】
以上のように、この実施形態によれば、光ビームをポリゴンミラーにより走査して画像を形成する装置における画像倍率調整において、生産性と画質とを最適に選択あるいは制御することが可能になる。
【符号の説明】
【００６９】
１００  画像形成装置
１０１  制御部
１０３  操作部
１０５  記憶部
１１０  画素クロック生成部
１２０  画像処理部
１３０  画像メモリ
１４０  発光駆動部
１５０  ポリゴン駆動クロック生成部
１７０  プロセスユニット
１７２  露光部
１７５  感光体
１７２０  発光素子
１７２１  モータ駆動部
１７２２  ポリゴンモータ
１７２３  ポリゴンミラー
１７３１  モータ駆動部
１７３２  感光体モータ
【図１】
0005740907.tif 000002
【図２】
0005740907.tif 000003
【図３】
0005740907.tif 000004
【図４】
0005740907.tif 000005
【図５】
0005740907.tif 000006